(57)【要約】【課題】本発明は、折り畳み式の傘の様なＬ字に折り曲がっていない傘でも脱落しない傘立てを提供する事を課題とし、更に鞄などに取り付けて傘を保持する傘の柄の保持構造のアクセサリを提供することも課題とする。【解決手段】図１に示すように環状の本体１と、本体１の回転軸となるヒンジ２と、本体１の外周に沿って配置された紐状体３とから構成される。【選択図】図１
2017018546.tif 000002
【特許請求の範囲】
【請求項１】
一端部同士が回転軸を介して回転可能に連結され、他端部同士が当接または近接して環状体を形成する一対の保持部材と、
前記一対の保持部材の他端部を通過するように前記保持部材に沿って設けられた弾性を有する紐状体と、を備え、
前記紐状体は前記他端部同士が当接または近接するように前記一対の保持部材を付勢し、前記紐状体の付勢力に抗して前記他端部同士が離れるように前記一対の保持部材を回転させると前記他端部同士の間に開口部が形成される、傘立て等に設けられる傘の柄の保持機構になり、
前記開口部から、前記傘の柄を前記紐状体を巻き込みながら前記環状体の内側に移動させると、前記一対の保持部材は前記紐状体の弾性力に依って閉じ、前記傘の柄は前記紐状体の弾性力に依って前記他端部の裏側に引き寄せられて保持される事を特徴とする傘の柄の保持機構。
【請求項２】
前記請求項１に於いて、
前記紐状体は、弾性の無い紐状部と、弾性を有する弾性部と、の複合体とする事を特徴とする傘の柄の保持構造。
【請求項３】
前記請求項１または請求項２の傘の柄の保持構造に於いて、
前記保持部材にストラップを設けて、保持構造を鞄などに固定できる事を特徴とする傘の柄の保持構造のアクセサリ。
【発明の詳細な説明】
【技術分野】
【０００１】    本発明は、傘の柄の保持構造と、傘の柄の保持構造のアクセサリに関する。
【背景技術】
【０００２】  従来、不特定多数の人が出入りする建物の出入り口付近に傘立てが設置されている。  これらの傘立ては傘の柄を保持する傘立てが多いが、折り畳み式の傘などの柄がＬ字のように折り曲がっていない傘では、傘を保持できずに傘立てから脱落するという問題があった。
そこで、例えば特許文献１には傘の柄にスライドするフックを設けて傘立てから脱落する事を防止する発明の傘が記載されている。
【先行技術文献】
【特許文献】
【０００３】
【特許文献１】特開２００９−２７３８４５
【発明の概要】
【発明が解決しようとする課題】
【０００４】  しかしながら、特許文献１のように傘の柄にスライドするフックを設けて、傘が傘立てから脱落する事を防止する発明があるが、このような特殊な構造の柄を持つ傘でなければ効果が得られない。
本発明は、折り畳み式の傘の様な柄がＬ字に折り曲がっていない傘でも脱落しない傘立てを提供することを課題とし、更に鞄などに取り付けて傘を保持する傘の柄の保持構造のアクセサリを提供することも課題とする。
【課題を解決するための手段】
【０００５】一端部同士が回転軸を介して回転可能に連結され、他端部同士が当接または近接して環状体を形成する一対の保持部材と、
前記一対の保持部材の他端部を通過するように前記保持部材に沿って設けられた弾性を有する紐状体と、を備え、
前記紐状体は前記他端部同士が当接または近接するように前記一対の保持部材を付勢し、前記紐状体の付勢力に抗して前記他端部同士が離れるように前記一対の保持部材を回転させると前記他端部同士の間に開口部が形成される、傘立て等に設けられる傘の柄の保持機構になり、
前記開口部から、前記傘の柄を前記紐状体を巻き込みながら前記環状体の内側に移動させると、前記一対の保持部材は前記紐状体の弾性力に依って閉じ、前記傘の柄は前記紐状体の弾性力に依って前記他端部の裏側に引き寄せられて保持される事ができ、
本発明の紐状体は、弾性の無い紐状部と、弾性を有する弾性部と、の複合体とする事ができ、
更に、本発明の傘の柄の保持構造のアクセサリは、前記保持部材にストラップを設けて保持構造を鞄に固定する事ができる。
【発明の効果】
【０００６】  以上説明したように、本発明によれば上記のような構成としたことから、次の効果を奏する。
第１の請求項によれば、
紐状体が傘の柄を他端部の裏側に引き寄せて保持するため、
柄がＬ字に折り曲がっていない傘でも脱落する事がなく保持できるという効果を奏する。
請求項２によれば、
弾性部のバネなどの弾性素材を交換する事で、弾性力を調整できるという効果を奏する。
請求項３によれば、
ストラップで保持部材を鞄に固定する事でアクセサリとして常備できる傘の保持具という効果を奏する。
従って、どのような傘でも脱落せずに保持できる傘立てとなる。  また、どのような傘でも保持できる傘のアクセサリにもなる。
【図面の簡単な説明】
【０００７】
【図１】本発明の実施例１の斜視図を示す。
【図２】本発明の実施例１の分解状態の斜視図を示す。
【図３】本発明の実施例１の他端部の拡大図を示す。
【図４】本発明の実施例１が傘の柄を保持した状態の拡大図を示す。
【図５】本発明の実施例１が紐状体を引き出して開口部を形成した状態を示す斜視図を示す。
【図６】本発明の実施例１で傘の柄を開口部から内側に押し始めた状態を示す斜視図を示す。
【図７】本発明の実施例１で傘の柄が更に押し込まれている状態を示す斜視図を示す。
【図８】本発明の実施例１で傘を保持した状態の斜視図を示す。
【図９】本発明の実施例１で壁に設置された状態の斜視図を示す。
【図１０】本発明の実施例１で紐状体が紐状部と弾性部からなる複合体の斜視図を示す。
【図１１】本発明の実施例２の斜視図を示す。
【図１２】本発明の実施例２で傘を保持し鞄に固定された状態の斜視図を示す。
【図１３】本発明の実施例２のヒンジの拡大図を示す。
【発明を実施するための形態】
【０００８】  以下、本発明に係る実施例について図を用いて説明する。
【０００９】  実施例１は、図１に示すように環状の本体１と、本体１の回転軸となるヒンジ２と、本体１の外周に沿って配置された紐状体３と、から構成される。  図２は、本発明の分解状態を示す斜視図である。
本体１は、ヒンジ２が挿入されるリング状の部分と環状の部分が結合した一対の形状で、紐状体３が傘の柄１４と一緒に内側に回り込むための貫通溝４と、紐状体３が配置される溝１０を備えている。  図３は、貫通溝４の細部を示す斜視図で、図３Ａは外側から、図３Ｂは内側から見た状態を示す。  図４は、傘の柄１４を保持した状態の拡大図を示す。
ヒンジ２は、本体１の回転軸となる円柱状の形状とする。
紐状体３は、本体１の外周の溝１０に沿って配置される輪ゴムのような形状でゴムなど弾性のある素材で作られ、ヒンジ２が配置される部分を迂回して溝１０から脱落する事を防止する形状とする。  また、紐状体３は弾性のある素材で作られているため、この弾性力で本体１を閉じたり、傘の柄１４を引き寄せる作用を備える。
本発明が傘の柄１４を保持する動作の詳細を説明する。
図５は図１の通常状態から、ヒンジ２を軸として本体１を回転させて紐状体３を引き出し、開口部１５が形成された状態を示す。  図６は、引き出された紐状体３に傘の柄１４を押し当てて紐状体３を本体１の内側に押し込んだ状態を示す。  図７は、図６の状態から更に内側に押し込んだ状態を示す。  図８は、紐状体３の弾性力に依って本体１が閉じ、紐状体３の弾性力に依って傘の柄１４が他端部の裏側に引き寄せられた状態を示す。
実施例１は傘を保持する保持手段を有する。
実施例１の保持手段は、
開口部１５から挿入した傘の柄１４で、紐状体３を押し込み他端部の裏側に傘の柄１４を引き寄せて保持、
保持した傘の柄１４を開口部１５を開いて解放する事で実現する。
図９は、壁に固定された支柱でヒンジを固定された状態の本発明を示す斜視図で、図９Ａは壁に固定される前の状態、図９Ｂは壁に固定された状態を示す。
図１０は、紐状体３が紐状部３ａと、弾性部３ｂと、から構成される複合体である事を示す斜視図である。
【００１０】  実施例２は、図１１に示すように環状の本体１と、本体１の回転軸となるヒンジ２と、本体１の外周に沿って配置された紐状体３と、ヒンジ２に固定されたストラップ１１と、から構成される。
本体１は、ヒンジ２が挿入されるリング状の部分と環状の部分が結合した一対の形状で、紐状体３が傘の柄１４と一緒に内側に回り込むための貫通溝４と、紐状体３が配置される溝１０を備えている。  図３は、貫通溝４の細部を示す斜視図で、図３Ａは外側から、図３Ｂは内側から見た状態を示す。  図１２は、傘の柄１４を保持した状態の拡大図を示す。
ヒンジ２は、回転軸となる円柱状の形状で、本体１の脱落を防止するための凸部を設け、本体１のリング部の対応する位置に凹部を設けた形状とする。  図１３は、本体１を断面にして本体１とヒンジ２に設けた脱落防止用の凹凸を示した拡大図である。
紐状体３は、本体１の外周の溝１０に沿って配置される輪ゴムのような形状でゴムなど弾性のある素材で作られ、ヒンジ２が配置される部分を迂回して溝１０から脱落する事を防止する形状とする。  また、紐状体３は弾性のある素材で作られているため、この弾性力で本体１を閉じたり、傘の柄１４を引き寄せる作用を備える。
ストラップ１１は、ヒンジ２に固定されるリング状の金具１２ａと、フック状の金具１２ｂと、をチェーン１３の両端に固定した形状とする。  フック状の金具１２ｂは、可動式のフックためチェーン１２に引っ掛けて輪を作る事ができる。
本発明が傘の柄を保持する動作の詳細を説明する。
実施例２の傘の柄を保持する動作は、実施例１の図７から図１０と同じで、開口部１５から挿入した傘の柄１４が紐状体３を押し込み、他端部の裏側に引き寄せられて保持される。
実施例２は傘を保持する保持手段と、鞄に本体１を固定する固定手段と、を有する。
実施例２の保持手段は、
開口部１５から挿入した傘の柄１４で、紐状体３を押し込み他端部の裏側に傘の柄１４を引き寄せて保持、
保持した傘の柄１４を開口部１５を開いて解放する事で実現する。
実施例２の固定手段は、
ヒンジ２に固定された金具１２ａに接続されたチェーン１３と、可動式のフック状の金具１２ｂとチェーン１３で輪を作って鞄に固定する事で実現する。
【産業上の利用可能性】
【００１１】本発明は、傘を各別に区画して立てて保管する傘立てに関する。  また、傘の柄の保持構造のアクセサリに関する。
【符号の説明】
【００１２】  １．本体
２．ヒンジ
３．紐状体
３ａ．紐状部・紐状体
３ｂ．弾性部・紐状体
４．貫通溝・本体
７．凸部・ヒンジ
８．凹部・本体
１０．溝・本体
１１．ストラップ
１２．金具・ストラップ
１２ａ．金具・ストラップ
１２ｂ．金具・ストラップ
１３．チェーン・ストラップ
１４．傘の柄
１５．開口部
【図１】
2017018546.tif 000003
【図２】
2017018546.tif 000004
【図３】
2017018546.tif 000005
【図４】
2017018546.tif 000006
【図５】
2017018546.tif 000007
【図６】
2017018546.tif 000008
【図７】
2017018546.tif 000009
【図８】
2017018546.tif 000010
【図９】
2017018546.tif 000011
【図１０】
2017018546.tif 000012
【図１１】
2017018546.tif 000013
【図１２】
2017018546.tif 000014
【図１３】
2017018546.tif 000015